(57)【特許請求の範囲】
【請求項１】
理美容院において用いられる理美容用ワゴンであって，底板にスリットが形成された引き出しをワゴン本体の前後両方に引き出し自在に備えるとともに，前記ワゴン本体の上部に，前後両方に引き出し自在にスライド板を装着し，ワゴン本体から引き出されるスライド板の前後端の一方と他方に，理美容用器具を差し込んで保持するホルダ孔を適宜振り分けて形成したことを特徴とする，理美容用ワゴン。
【請求項２】
ワゴン本体から引き出されるスライド板の前後端の一方に，ドライヤを差し込んで保持するドライヤホルダ孔が形成され，他方に，染毛剤の容器を差し込んで保持する容器ホルダ孔が形成されていることを特徴とする，請求項1に記載の理美容用ワゴン。
【請求項３】
少なくともスライド板が木製であることを特徴とする，請求項1又は２に記載の理美容用ワゴン。
【発明の詳細な説明】
【０００１】
【発明の属する技術分野】
本発明は，理美容院において用いられる理美容用ワゴンに関する。
【０００２】
【従来の技術】
理髪店や美容院などにおいては，椅子に座った客の近くにワゴンを置き，このワゴンにドライヤやブラシ，コーム，染毛剤を充填した容器などといった理美容用器具をおいて作業を行っている。従来，このように美容院などで用いられるワゴンには，スチール製のものが一般に利用されており，ドライヤ，ブラシ等の理美容用器具は，そのようなワゴンの上面に直接載せられている。
【０００３】
【発明が解決しようとする課題】
ところが，平坦なワゴンの上面にドライヤ，ブラシ等を載せた場合，それらが滑りやすく，作業がしにくいという問題があった。特に染毛剤を充填した容器などを載せたままワゴンを移動させた場合，ワゴンの上面でそれらが滑り，染毛剤を飛散させて周囲を汚す心配があった。また，熱くなったドライヤをワゴンに載せた場合，ドライヤの熱でワゴンが熱くなることもあった。
【０００４】
従って本発明の目的は，ドライヤ，ブラシなどといった理美容用器具を安定して保持させることができる理美容用ワゴンを提供することである。
【０００５】
【課題を解決するための手段】
この目的を達成するために，本発明にあっては，理美容院において用いられる理美容用ワゴンであって，底板にスリットが形成された引き出しをワゴン本体の前後両方に引き出し自在に備えるとともに，前記ワゴン本体の上部に，前後両方に引き出し自在にスライド板を装着し，ワゴン本体から引き出されるスライド板の前後端の一方と他方に，理美容用器具を差し込んで保持するホルダ孔を適宜振り分けて形成したことを特徴としている。
【０００６】
この場合，ワゴン本体から引き出されるスライド板の一方には，例えばドライヤを差し込んで保持するドライヤホルダ孔が形成され，他方には，例えば染毛剤の容器を差し込んで保持する容器ホルダ孔が形成されている。また，これらドライヤホルダ孔や容器ホルダ孔の他に，ブラシやコームなどを保持するブラシホルダ孔や毛払いブラシ用のブラシホルダ孔などが形成されていても良い。また，少なくともスライド板は木製であることが好ましい。
【０００７】
【発明の実施形態】
以下，本発明の好ましい実施の形態を図面を参照して説明する。図1は，本発明の実施の形態にかかる理美容用ワゴン１の斜視図である。この理美容用ワゴン１は，理美容院において用いられるものであり，上下３段の引き出し２，３，４を備えるワゴン本体５の上部に，スライド板６を装着した構成になっている。
【０００８】
図２〜４は，この理美容用ワゴン１を分解した状態を示しており，図２は，引き出し２，３，４とスライド板６を取り外したワゴン本体５の斜視図であり，図３は，ワゴン本体５から取り外した引き出し２，３，４の斜視図であり，図４は，ワゴン本体５から取り外したスライド板６の斜視図である。
【０００９】
図２に示すように，ワゴン本体５は，互いに平行に垂直に立てられた左右一対の側板１０，１０の間に，複数枚の水平な横板１１，１２，１３，１４，１５，１６を上下に適当な間隔をあけて取り付けた構成になっている。最も上にある横板１１は，左右の側板１０，１０の上端よりも僅かに下方に取り付けてあり，これにより，左右の側板１０，１０の上端が，横板１１の上面よりも僅かに上方に突出している。
【００１０】
このように横板１１上面より上方に突出して設けられた左右の側板１０，１０の上端同士の間には，取っ手１７が渡してある。また，この横板１１の上面には，クリップ，ピンなどの小物を収納するための凹部１８が形成されている。また，左右の側板１０，１０の外面（即ち，ワゴン本体５の左右外側面）には，図示しないフックなどを係合させることが可能なサイドホール１９が適当な箇所に設けてある。
【００１１】
最も上にある横板１１と上から２番目の横板１２との間には，後述するスライド板６を挿入可能な隙間が形成されている。上から３番目の横板１３は，上から２番目の横板１２から適当な隙間を離して下方に配置されている。これら横板１２と横板１３の間には，鏡などを収納しておくことができる。また，上から３番目の横板１３と上から４番目の横板１４（即ち，下から３目の横板１４）との間，下から３番目の横板１４と下から２番目の横板１５との間，及び下から２番目の横板１５と最も下にある横板１６との間には，後に説明する引き出し２，３，４を挿入可能な隙間がそれぞれ形成されている。
【００１２】
最も下にある横板１６は，左右の側板１０，１０のそれぞれの下端に取り付けてある。この横板１６の下面（即ち，ワゴン本体５の下面）の四隅には無指向キャスター２５が取り付けてある。これら無指向キャスター２５を利用することにより，ワゴン本体５を床面上で走行させ，任意の方向に容易に移動させることができる。なお，このようにワゴン本体５を床面上で走行させる際には，前述のように左右の側板１０，１０の上端同士の間に取り付けられた取っ手１７を持つことにより，容易に操作できるようになっている。また，図示はしないが，各無指向キャスター２５はストッパー機構をそれぞれ備えており，それらストッパー機構を操作することにより，床面上の任意の位置において，ワゴン本体５を停止させておくことができるようになっている。
【００１３】
図３に示すように，引き出し２，３，４は，底板２０の左右に側板２１，２１を立設し，底板２０の前後に側板２２，２２を立設することにより，下面と四方側面が閉塞され，上面が開放された箱形状に形成されている。底板２０には，適当な箇所にスリット２３が形成してあり，引き出し２，３，４内に入った髪の毛などが，このスリット２３を通って落下できるようになっている。また，前後の側板２２，２２には，Ｕ字型の孔２４，２４がそれぞれ設けられている。
【００１４】
そして，このように箱形状に形成された引き出し２，３，４を，先に説明したワゴン本体５において，横板１３と横板１４との間，横板１４と横板１５との間，及び横板１５と横板１６との間に，それぞれ挿入することにより，各引き出し２，３，４は，ワゴン本体５の前後両方に引き出し自在に装着されている。なお，そのように引き出し２，３，４をワゴン本体５の前後に引き出したりする際には，各引き出し２，３，４の前後の側板２２，２２に設けられたＵ字型の孔２４，２４に指を挿入すると操作がしやすい。特に，人差し指，中指，薬指をＵ字型に沿って挿入しやすく，この３本の指をＵ字型の上部に引掛けると，各引き出し２，３，４の引き出しを円滑に行うことができる。
【００１５】
図４に示すように，スライド板６は，前端６ａと後端６ｂが緩やかな凸曲面に形成された略長方形状をなしている。このスライド板６の前端６ａと後端６ｂには，理美容用器具を差し込んで保持するためのホルダ孔３０，３１，３２，３３が適宜振り分けて形成されている。図示の例では，スライド板６の前端６ａには，ドライヤを差し込んで保持するドライヤホルダ孔３０が１ヶ所に形成され，このドライヤホルダ孔３０の横に，ブラシやコームなどを保持するブラシホルダ孔３１が複数箇所に形成されている。一方，スライド板６の後端６ｂには，染毛剤の容器を差し込んで保持する容器ホルダ孔３２が２ヶ所に形成され，これら容器ホルダ孔３２の間に毛払いブラシ用のブラシホルダ孔３３が形成されている。
【００１６】
そして，このように構成されたスライド板６を，先に説明したワゴン本体５において，横板１１と横板１２との間に挿入することにより，スライド板６は，ワゴン本体５の前後両方に引き出し自在に装着されている。
【００１７】
また，この理美容用ワゴン１は，各引き出し２，３，４及びスライド板６と，無指向キャスター２５を除くワゴン本体５の各部（即ち，左右の側板１０，１０及び横板１１，１２，１３，１４，１５，１６と取っ手１７）が，木材で構成されている。この場合，図示の形態では，木材として杉材などの天然木を使用している。
【００１８】
以上のように構成された本発明の実施の形態にかかる理美容用ワゴン１にあっては，各引き出し２，３，４に理美容器具を収納して移動させることができ，理美容院において好適に用いることが可能である。
【００１９】
そして，例えばドライヤを使用する場合は，図５に示すように，ワゴン本体５の前方にスライド板６を引き出し，スライド板６の前端６ａをワゴン本体５の前方に突出させる。こうして，スライド板６の前端６ａに形成されたドライヤホルダ孔３０とブラシホルダ孔３１をワゴン本体５の前方に引き出せば，これらドライヤホルダ孔３０とブラシホルダ孔３１に適宜ドライヤ４０とブラシ４１を挿入して保持させることができるので，作業がしやすい。
【００２０】
なお，このようにドライヤ４０を使用する場合は，熱くなったドライヤ４０をドライヤホルダ孔３０に挿入することもあるが，前述のようにスライド板６などが杉材等の天然木で構成されていれば，熱くなったドライヤ４０をドライヤホルダ孔３０に挿入した場合でも，合板などでないので有害なガス等が発生しないといった利点がある。
【００２１】
また一方，染毛などを行う場合は，図６に示すように，ワゴン本体５の後方にスライド板６を引き出し，スライド板６の後端６ｂをワゴン本体５の後方に突出させる。こうして，スライド板６の後端６ｂに形成された容器ホルダ孔３２とブラシホルダ孔３３をワゴン本体５の後方に引き出せば，染毛剤の容器４５を容器ホルダ孔３２に挿入して保持させたり，図示しない毛払いブラシをブラシホルダ孔３３に挿入して保持させることができるので，作業がしやすい。
【００２２】
以上，本発明の好ましい実施の形態の一例を示したが，本発明はここに例示した形態に限定されない。例えば，各引き出し２，３，４の大きさは，それぞれ異なっていても良い。また，引き出しは１段もしくは２段でも良いし，４段以上でも良い。なお，木材として杉間伐材を使用すれば，廃材の有効利用にもなる。また，木材にはニスやウレタン塗装などをせず，オイル仕上げにすると良い。
【００２３】
図７に示すように，横板１２と横板１３の間に，浅い箱形状に形成された引き出し４８を収納しても良い。この引き出し４８は，引き出し２，３，４と同様に底板２０及び左右の低い側板２１，２１，前後の低い側板２２，２２から構成される。この引き出し４８をワゴン本体５の前方又は後方に引き出せば，理美容器具を載置する台として用いることができ，便利である。また，底板２０の周囲に立設されている側板２１，２２が，底板２０上から理美容器具が落下することを防止する。もちろん，引き出し４８は，鏡などの理美容器具を収納しておく引き出しとして利用しても良い。さらにまた，図８に示すように，引き出し４８の底板２０に鏡５０を張付けても良い。この場合，引き出し４８をワゴン本体５から取り外して鏡として使用できる。もちろん，鏡５０を張った場合も，理美容器具を載置する台としたり，理美容器具の収納として利用可能である。なお，側板２１，２２の適当な箇所に孔５１をそれぞれ設けることが好ましい。そうすれば，引き出し４８をワゴン本体５から引き出し，取り外し，又は鏡として手に持って掲げる際などに，孔５１に指を挿入でき，取り扱いやすい。
【００２４】
【発明の効果】
本発明によれば，ドライヤなどの各種理美容用器具を直接ワゴンの上に載せる場合に比べ，安定して保持させることができ，作業がしやすい。
【図面の簡単な説明】
【図１】本発明の実施の形態にかかる理美容用ワゴンの斜視図である。
【図２】引き出しとスライド板を取り外したワゴン本体の斜視図である。
【図３】ワゴン本体から取り外した引き出しの斜視図である。
【図４】ワゴン本体から取り外したスライド板の斜視図である。
【図５】スライド板の前端に形成されたドライヤホルダ孔とブラシホルダ孔をワゴン本体の前方に引き出した状態の説明図である。
【図６】スライド板の後端に形成された容器ホルダ孔とブラシホルダ孔をワゴン本体の後方に引き出した状態の説明図である。
【図７】浅い引き出しを取りつけた場合の説明図である。
【図８】鏡付きの引き出しの斜視図である。
【符号の説明】
１    理美容用ワゴン
２，３，４  引き出し
５    ワゴン本体
６    スライド板
６ａ  前端
６ｂ  後端
１０  側板
１１，１２，１３，１４，１５，１６  横板
１７  取っ手
１８  凹部
１９  サイドホール
２５  無指向キャスター
３０  ドライヤホルダ孔
３１  ブラシホルダ孔
３２  容器ホルダ孔
３３  ブラシホルダ孔
【図１】
0004028750.tif 000002
【図２】
0004028750.tif 000003
【図３】
0004028750.tif 000004
【図４】
0004028750.tif 000005
【図５】
0004028750.tif 000006
【図６】
0004028750.tif 000007
【図７】
0004028750.tif 000008
【図８】
0004028750.tif 000009